(57)【要約】      （修正有）【課題】ワークがめっき液と均一に接して良好なめっき処理を行うことが出来るめっき装置を提供する。【解決手段】振動モータ９により、上面を開口し、且つ無数の小孔を有する多孔容器１２をめっき槽内のめっき液Ｍ中に没入浸漬させて該多孔容器１２内に収容したワーク群Ｗを移動と転動を与え乍らめっき処理を施すめっき装置において、該多孔容器１２は、その底壁１２ａを該振動モータ９の回転方向に沿う弧状とし、該弧状底壁１２ａに連なる両側壁１２ｂ，１２ｂを垂直壁とした。【選択図】図１
2006328449.tif 000002
【特許請求の範囲】
【請求項１】
上面を開口した無数の小孔を有する多孔容器をめっき槽内のめっき液中に没入浸漬させ、振動モータにより該多孔容器を振動させ、該容器内に収容したワーク群に移動と転動を与え乍らめっき処理を施すめっき装置において、該多孔容器は、その底壁を上記振動モータの回転方向に沿う弧状とし、該底壁に連なる両側壁を垂直壁としたことを特徴とするめっき装置。
【請求項２】
上部に振動モータを備える架枠の下部に該多孔容器を備え、該多孔容器はその底壁から両側の垂直壁にかけて無数の小孔を有する樹脂製から成り、該多孔容器の外周に金属製の保護枠を具備し、該保護枠はその両端から上方に伸びる金属製の立上杆を配設すると共に、該保護枠と該立上杆の表面には絶縁被膜を施されており、該架枠は、下部の載台と該載台の両端から上方に伸びる支柱と該支柱の上端に設けた振動モータ取付台から成ると共に、これらの構成部材で該多孔容器収容空間を囲繞形成し、該多孔容器収容空間内に保護枠で外周を保護された多孔容器を該保護枠の両端の立上杆が該架枠の両端の支柱の内側面に沿うように該載台上に載置収容すると共に、該立上杆を該支柱に締付具で締付け固定することを特徴とする請求項１に記載のめっき装置。
【請求項３】
該多孔容器を該保護枠に着脱自在に装着したことを特徴とする請求項２に記載のめっき装置。
【発明の詳細な説明】
【技術分野】
【０００１】
本発明は、電子部品等の小型のワークにめっきを施す装置に関する。
【背景技術】
【０００２】
従来、小型のワークをめっきする装置として、周壁に無数に小孔を設けた多角形の回転バレルを備えためっき装置は一般に広く用いられており周知であるので、例示するまでもない。また、他の形式のめっき装置として、下記特許文献１により、振動モータなどの起振器で上面を開口し、且つ底面に無数の小孔を有する円筒形の容器を振動させ、該振動により該容器に収容した小型のワークを該容器の螺旋状の底面に沿い転動させ乍ら該底面を昇る方向に旋回移動を行わせつゝめっき処理を施すめっき装置が開示されている。
【特許文献１】実公平５−１２２９４号公報
【発明の開示】
【発明が解決しようとする課題】
【０００３】
しかし乍ら、上記の一般に広く用いられているめっき装置では、ワークが小型化する程、回転バレルに設けた無数の小孔にワークが引掛かったり、小孔から脱落したりするのを防ぐため、小孔の径を小さくせざるを得ないので、これに伴って該回転バレル内へのめっき液の交換効率が悪くなったり、処理中に発生するガスの抜けが悪くなる。更に、回転バレル内へのめっき液の流入流出を行わせるため、回転バレルが多角形（一般に６角形）であるため、金属電極（陽極）に対するバレルに設けた小孔の角度が変わり、小孔の角度が金属電極に対し斜めになるとき殆んど電流を遮蔽する状態となる。このため、バレル内を所要の電流密度を保つために高電流を用いなければなければならない等に不具合を生じる不都合がある。
一方、かゝる不都合のない前記の特許文献１に記載の形式のめっき装置は、本願の添付図面における図１３及び図１４に示すように、上面を開口した合成樹脂製の円筒形の周壁５０ａとその底面５０ｂを金網、その他の多孔性の導電材料により底面が順次高くなる螺旋状に形成された底面５０ｂとから成る多孔容器５０をめっき液Ｍ中に埋没浸漬し、該容器５０を左右一対の振動モータ５１，５１によって、該容器５０を揺動させ、これにより該容器５０内の該ワーク群Ｗは該容器５０の螺旋状の底面５０ｂに沿って転動し乍ら、該底面５０ｂの螺旋を昇る方向に旋回移動する。そして、その旋回移動中該底面５０ｂに形成される段差部５０ｃを落下するときに該容器５０の中央を移動するものと外側を移動するものとが入り交じり、これによってワーク群Ｗは均一にめっき液と接触し且つ振動によってワークに付着した気泡等も有効に分離されてめっき処理が施されるようにしたものである。
而して、このめっき装置により、容器５０の上面が開放しているため、上記の従来一般に用いられている回転バレルを具備しためっき装置の上記の不都合を解消できる。
しかし乍ら、この図示の従来のめっき装置では図１３及び図１４に示すように、該底面５０ｂは螺旋状の底面５０ｂのため、その段差部５０ｃのところで各ワークは落下するので、丸みのあるワークなら問題がないが、扁平なワーク等、転動し難い形状のワークでは、該段差部５０ｃのところで転動しないことがしばしば起こり、従って、各ワークの全ての面をめっき液に均一に触れさせることができずにめっき斑を生じたり、１個所でも転動しないワークが該底面の網目に引っ掛かると全てのワークの移動が阻止され、ワーク相互の移動がなくなって、ワークが重なりあった状態でめっき処理され、めっき不良を起し易いなどの不都合を生じた。
そこで本発明は、上記の振動モータを具備しためっき装置の上記の課題を解消しためっき装置を提供することを目的とする。
【課題を解決するための手段】
【０００４】
本発明は、請求項１に記載の通り、上面を開口した無数の小孔を有する多孔容器をめっき槽内のめっき液中に没入浸漬させ、振動モータにより該多孔容器を振動させ、該容器内に収容したワーク群に移動と転動を与え乍らめっき処理を施すめっき装置において、該多孔容器は、その底壁を上記振動モータの回転方向に沿う弧状とし、該底壁に連なる両側壁を垂直壁としたことを特徴とするめっき装置に存する。
更に本発明は、請求項１に記載のめっき装置において、上部に振動モータを備える架枠の下部に該多孔容器を備え、該多孔容器はその底壁から両側の垂直壁にかけて無数の小孔を有する樹脂製から成り、該多孔容器の外周に金属製の保護枠を具備し、該保護枠はその両端から上方に伸びる金属製の立上杆を配設すると共に、該保護枠と該立上杆の表面には絶縁被膜を施されており、該架枠は、下部の載台と該載台の両端から上方に伸びる支柱と該支柱の上端に設けた振動モータ取付台から成ると共に、これらの構成部材で該多孔容器収容空間を囲繞形成し、該多孔容器収容空間内に保護枠で外周を保護された多孔容器を該保護枠の両端の立上杆が該架枠の両端の支柱の内側面に沿うように該載台上に載置収容すると共に、該立上杆を該支柱に締付具で締付け固定することを特徴とする。
更に本発明は、請求項２に記載のめっき装置において、該多孔容器を該保護枠に着脱自在に装着したことを特徴とする。
【発明の効果】
【０００５】
このように、請求項１に記載の発明に係るめっき装置を用い、めっき処理するときは、多孔容器の底壁を上記振動モータの回転方向に沿う弧状としたことで、該多孔容器内のワーク群は振動モータの回転によって、多孔容器の該弧状底壁に沿って押し上げられ、上位まで上げられたワークから順次転動し乍ら内側下方へ自重で崩落するという移動反転動作を繰り返すことができ、これにより、各ワークはその全面が処理中めっき液と均一に接する。一方、該多孔容器は振動モータによって振動するだけであるので、該多孔容器の両側の垂直壁は、対向する陽極金属板との位置関係が変わらず、両側の垂直壁に設けた無数の小孔を介しての多孔容器内への電流の流入が常に充分に行われる。従って、ワーク群Ｗに均一且つ良好なめっき処理を行うことが出来る。
更に、請求項２に記載の発明によるときは、該多孔容器を、樹脂製の多孔容器とし、その外周を、表面を絶縁皮膜で被覆された金属製の保護枠を具備せしめたので、該多孔容器は安定堅牢となる。また、該多孔容器は、該架枠に設けた該載台に載せた後、該立上杆を支柱に沿わせ、締付具で締付け固定するだけで、該架枠に簡単に取付けられる。締付具による締付けを解けば簡単に架枠から該多孔容器を取り外すことができ、該多孔容器の架枠への取付け取外しは、立上杆を持って行えるので、該多孔容器へのワークの出し入れが行い易い。
更に、請求項３に記載の発明によるときは、ワークの形状、寸法に応じて許される限り小孔の径の大きい多孔容器に取り換えることにより、小孔の開口部を可及的に高めて小孔を介しての多孔容器への電流の流入をより高めることができる。
【発明を実施するための最良の形態】
【０００６】
本発明の実施形態の一例を図１乃至図７に基づいて詳述する。
図面でＡはめっき装置を示し、該めっき装置Ａは、架枠１と架枠１の上部に下記のように設けた振動モータ９と該これに着脱可能に取り付けた上面を開口２した多孔容器１２とから成る。
該架枠１は上方から見て方形の開口２を有する方形の樹脂製の多孔容器１２を載置する載台３と、該載台３の両端中央部から上方に伸びる一対の樹脂製の支柱４，４と、該支柱４，４の上端に両端を取り付けられた金属製の振動モータ取付台５とから成り、これらの構成部材の間に方形の多孔容器収容空間Ｓを形成した。更に、該振動モータ取付台５の上面にこれより前方に突出する金属板６を取り付け、該金属板６の突出部に、先端に多孔容器１２内に臨ませる銅塊から成る陰極部７ａを支持する導電部材として剛性の陰極棒７の取付部８を設け、該振動モータ取付台５上に振動モータ９を取付けた。
尚、図示するものでは、取付部８を筒状の金具とし、取付部８に陰極棒７を上下に挿通したのちビス８ａで陰極棒７を取付部８に締付け固定させた。
この陰極棒７は、該多孔容器１２を該架枠１から取外すとき、陰極棒７を上方に引き上げる必要がある。そこで、この実施例では、振動モータ取付台５の中央から上方に伸びる金属製の補助支柱１０を設け、該支柱１０を介して振動モータ９を取り付け、陰極棒７を上方に引き出し得る空間Ｓ′を振動モータ９の下面に形成するようにした。
尚、１１は、該補助支柱１０の上端から架枠１の後方に突出する電極接続板を示し、該電極接続板１１から該陰極棒７に、該補助支柱１０と金属板６を介して通電するようにした。尚また、前記載台３の底面には通液用の広い開口３ａを設けた。
【０００７】
上記の合成樹脂製の多孔容器１２には、図３及び図４に明示のように、その外周を保護する金属製の保護枠１３を設けた。更に詳述すると、該多孔容器１２は、これを該架枠１に装着したとき、該架枠１に設けた振動モータ９の回転方向に沿う弧状の底壁１２ａと、該弧状底壁１２ａから上方に伸びる前後の垂直壁１２ｂ，１２ｂと、これら弧状底壁１２ａと垂直壁１２ｂ，１２ｂの両端間を塞ぐ左右の無孔の両端壁１２ｃ，１２ｃとから成ると共に、該弧状底壁１２ａ、前後の両垂直壁１２ｂ，１２ｂには、図３、図６、図７に明示のように、壁面に対し直角に無数の小孔１２ｅを穿設したものである。
【０００８】
尚、該多孔容器１２の内面にワークｗが付着するのを防ぐため、該容器１２の内面に無数の突起１２ｄを設けておくことが望ましく、この実施例では、図６並びに図７に示す如く、該多孔容器１２の内側面に幅２ｍｍ、高さ２ｍｍの四角錐から成る突起１２ｄを一定の間隔１ｍｍを存して縦横に無数に整列配置しこれら突起１２ｄ，１２ｄ間に無数の小孔１２ｅを設けた。
該多孔容器１２の外周は、前述のように金属製の保護枠１３により保護されている。該保護枠１３は、該多孔容器１２の両端壁１２ｃ，１２ｃの外側に沿ってその両端壁１２ｃ，１２ｃを保護する端板１３ａ，１３ａと、該両端板１３ａ，１３ａの両側間を連結し且つ該容器１２の前後の側面を保護する上下２段の横枠１３ｂ，１３ｂと、該端板１３ａ，１３ａ同士を繋ぐ方向に伸びて該多孔容器１２の底壁１２ａを保護する下側枠１３ｃと、該下側枠１３ｃの両端から夫々該端板１３ａ，１３ａの外側に沿って上方に伸びる立上杆１３ｄから成り、該立上杆１３ｄ，１３ｄは端板１３ａ，１３ａの上端より大きく上方に突出させて置く。これら端板１３ａ，１３ａと横枠１３ｂ，１３ｂと下側枠１３ｃと立上杆１３ｄとは一体に溶接し、その外表面には絶縁被膜１３ｅを施しておく。また、該多孔容器１２は、上段の横枠１３ｂ，１３ｂに合成樹脂製のボルト、ナットの締付具１４で締め付けて保護枠１３に取り付ける。
該多孔容器１２の該架枠１への取り付けは、該多孔容器１２を載台３上に載置後、該立上枠１３ｄ，１３ｄを該架枠１の支柱４，４に沿わせ、図２及び図５に明示のように、締付具１５，１５で、支柱４，４に該立上杆１３ｄ，１３ｄを締め付け固定することで行う。
【０００９】
上記の本装置Ａを用いめっき処理を行うには、該保護枠１３で外周を保護された多孔容器１２を上記のように該架枠１に取り付けた後、図１に示すように、吊り具１６により懸吊し、めっき槽１７内に挿入するとき、該多孔容器１２の前後の垂直壁１２ｂ，１２ｂがめっき槽１７内に前後に配設した陽極金属板１８，１８と対向するように配置して挿入する。
この状態から、振動モータ９を回動せしめれば、該多孔容器１２は振動すると同時に該多孔容器１２内に収容されているワーク群Ｗは、図３の矢示のように、先ず、振動モータ９の回転方向に沿い弧状底壁１２ａ及び垂直壁１２ｂの内面に沿った上昇移動を行うことができ、次いで、上位に達した各ワークｗは反転し乍ら内側へ自重で崩落するという移動転動動作を繰り返されるので、全てのワークを円滑に且つ均一に良好なめっき処理を行うことができる。
このめっき処理中、多孔容器１２の両側の垂直壁１２ｂ，１２ｂは、陽極電極板１８，１８と対向位置に保たれるので、該垂直壁１２ｂ，１２ｂに設けた無数の小孔１２ｅ，１２ｅ，…は、陽極１８，１８から電流の流れに対し正面を向いているので、常にこれらの小孔１２ｅ，１２ｅ，…を介し多孔容器１２内への電流の流入を良好に行うことができる。
【００１０】
先の実施例で示しためっき装置Ａでは、陰極棒７に陰極７ａを支持せしめることにより、陰極７ａがワーク群Ｗの移動によって押し上げられることを防止する固定手段を採用したが、図８に示す固定手段を採用してもよい。即ち、同図において、図２に使用した剛性の陰極棒７の使用を廃し、これに代わり、人手によって曲げれば曲がり得るが、ワーク群Ｗの移動による押し上げ力には抗し得て陰極７ａを固定保持する被覆導線７′の一対を図示のように左右の立上杆１３ｄ，１３ｄから導出させ、その先端に胴塊の陰極７ａ，７ａを設け、これら陰極７ａ，７ａを介しワーク群Ｗに通電するようにしたものである。かくして、図２で使用した陰極棒７を上方に引き出す空間Ｓ′をなくすことができると共に、図２に示すめっき装置Ａに比し小型化しためっき装置とすることができる。
【００１１】
図９及び図１０は、陰極７ａの固定手段の更に他の変形例を示す。この変形例では、一対の銅塊状の陰極７ａを長手の銅杆に変えると共にこれを短い支持導電杆を介し該多孔容器１２に締付け固定したものである。
即ち、図９は、図３に対応する図、図１０は図２に対応する側面図である。図面で陰極７ａを、該多孔容器１２の弧状底壁１２ａの中央の最下部の内面にその長さ方向に沿い、その容器１２の略全長に亘り横設した厚さ２ｍｍ程度の肉薄帯状の陰極７ａ′としたものを配置し、その下面に左右において夫々溶接により上端面を接続した螺杆から成る導電杆７″，７″を該多孔容器１２の該底壁１２ａとその外側の保護枠１３の下側枠１３ｃを貫通し、その外側の架枠１の広い開口３ａ，３ａ内に臨むよう突出させ、夫々の導電杆７″，７″の螺条下端にナット１９，１９を螺合し、該帯状の陰極７ａを該底壁１２ａの内面に締付け圧着固定した。かくして、外部の電源より金属製保護枠１３を介しこれと電気的に接触する導電杆７″，７″を介して該帯状の陰極７ａ′に導通せしめるようにしたものである。尚、該ナット１９，１９には、その外面に電気絶縁性皮膜１３ｅで被覆することが好ましい。これにより、先の実施例で用いた陰極棒７，７や先の変形例で用いた一対の該導電杆７′，７′の一部がワーク群Ｗ内に介在するため、これにより、ワーク群Ｗの移動を妨げる惧れをなくし、一層円滑なワーク群Ｗの移動を行うことができる。一方、該導電杆７″，７″は著しく短くて済む。
【００１２】
図１１は、図９及び図１０に示す帯状の陰極７ａ′を該多孔容器１２の底壁内面に圧着固定した固定手段の変形例を示す。即ち、該多孔容器１２の弧状底壁１２ａの中央に長さ方向に帯状の陰極７ａ′を丁度収容するに適した長矩形状の帯状の穿孔２０を設け、該帯状の穿孔２０内に該帯状の陰極７ａ′を、その上面７ａ１がその両側と隣接する弧状底壁１２ａの上辺縁と同じつら位置になるように収容し、この状態で該帯状の陰極７ａ′の下面から延びる導電杆７″の下端部に螺合したナット１９により、該帯状の陰極７ａ′を該保護枠１３の下側枠３１の上面に締付け圧着固定したものである。この陰極固定手段では、該帯状の陰極７ａ′は、その両側と隣接する底壁１２ａの内面と同じつら位置であるので、ワーク群の移動が更に円滑に行うことができ好ましい。尚、該帯状の陰極７ａ′の厚さは、図示の例では、多孔容器１２の厚さと略同じとしたが、その厚さはこれに限定されない。
【００１３】
図１２は、多孔容器１２側に設ける陰極の固定手段の更なる変形例を示し、帯状の陰極７ａ′に代え、適宜厚さの円板状の陰極７ａ″とし、その複数個を、図示の例ではその２個を、該多孔容器１２の弧状底壁１２ａの中央の最下部の長さ方向の左右に配設した該円板状の陰極７ａ″が丁度収容できる内径を有する円形状の穿孔２０′，２０′内に、その各陰極７ａ″の上面７ａ１がその各円孔２０′の外周を囲繞する底壁１２ａの周辺縁と同じつら位置になるように収容し、この状態で各該陰極７ａ下面から下方に延びる導電杆７″の下端部に螺合したナット１９により、該保護枠１３の下側枠３１の上面に締付け圧着固定する。
このように多孔容器１２の長さ方向に配設する円板状の陰極７ａ″の個数を３個又はそれ以上に増大すれば、これに伴い、ワーク群Ｗへの通電効率を増大できる。尚、陰極７ａ″の形状は、円形に限定されないことは言うまでもない。
【図面の簡単な説明】
【００１４】
【図１】本発明実施の一例を示すめっき装置の正面図。
【図２】図１のＩ−Ｉ線矢方向から見た一部を截除した図。
【図３】図２のＩＩ−ＩＩ線拡大断面図。
【図４】一部を截除した保護枠に装着した多孔容器の斜視図。
【図５】締付具の斜視図
【図６】多孔容器の内面の一部の拡大図。
【図７】図６のＩＩＩ−ＩＩＩ線截断面図。
【図８】本発明のめっき装置の陰極固定手段の変形例を示す図２に対応する図。
【図９】陰極固定手段の更に変形例を示す図２に対応する一部の図。
【図１０】図３に対応する横断面図。
【図１１】多孔容器側に設ける陰極の固定手段の更なる変形例を示す図１０に対応する要部の横断面図。
【図１２】多孔容器側に設ける陰極の固定手段の更なる変形例を示す図９に対応する要部の截除した拡大図。
【図１３】従来のめっき装置の一部截断正面図。
【図１４】図１３の一部の平面図。
【符号の説明】
【００１５】
Ａ  めっき装置
１  架枠
２  開口
３  載台
４  支柱
５  振動モータ取付台
７，７′，７″  支持導電部材
７ａ，７ａ′，７ａ″  陰極
１１  電極接続板
１２  多孔容器
１２ａ  弧状底壁
１２ｂ  垂直壁
１２ｃ  端壁
１３  保護枠
１３ａ  端板
１３ｂ  横枠
１３ｃ  下側枠
１３ｄ  立上杆
１３ｅ  絶縁皮膜
１８  陽極，陽極金属板
Ｓ  多孔容器収容空間
【図１】
2006328449.tif 000003
【図２】
2006328449.tif 000004
【図３】
2006328449.tif 000005
【図４】
2006328449.tif 000006
【図５】
2006328449.tif 000007
【図６】
2006328449.tif 000008
【図７】
2006328449.tif 000009
【図８】
2006328449.tif 000010
【図９】
2006328449.tif 000011
【図１０】
2006328449.tif 000012
【図１１】
2006328449.tif 000013
【図１２】
2006328449.tif 000014
【図１３】
2006328449.tif 000015
【図１４】
2006328449.tif 000016